(57)【特許請求の範囲】
【請求項１】
移動通信機能及び無線ＬＡＮ（Ｌｏｃａｌ  Ａｒｅａ  Ｎｅｔｗｏｒｋ）通信機能を備える携帯端末と、前記携帯端末との間の移動通信を制御する基地局と、前記携帯端末との間の無線ＬＡＮ通信を制御する無線ＬＡＮ基地局とを含む移動通信システムであって、
前記携帯端末は、自端末の位置情報を取得して前記基地局に通知する手段を有し、
前記基地局は、前記携帯端末からの位置情報を基に前記無線ＬＡＮ基地局が管理する無線ＬＡＮ通信エリアへの前記携帯端末の進入時間を概算する手段と、その概算結果を基に前記携帯端末の前記無線ＬＡＮ通信エリアへの進入時期が近いと判断すると前記携帯端末に対して前記移動通信機能を用いる通信モードと前記無線ＬＡＮ通信機能を用いる通信モードとの切換えを指示する手段とを有し、
前記基地局は、前記無線ＬＡＮ通信エリアのうちの予め設定された特定エリアに隣接する無線ＬＡＮ通信エリアへの前記携帯端末の進入時間を概算することを特徴とする移動通信システム。
【請求項２】
前記携帯端末は、取得した位置情報を基に少なくとも速度情報及び移動方向を算出して前記位置情報とともに地理情報として前記基地局に通知することを特徴とする請求項１記載の移動通信システム。
【請求項３】
前記携帯端末は、ＧＰＳ（Ｇｌｏｂａｌ  Ｐｏｓｉｔｉｏｎｉｎｇ  Ｓｙｓｔｅｍ）を用いて自端末の位置情報を取得することを特徴とする請求項１または請求項２記載の移動通信システム。
【請求項４】
前記特定エリアは、前記携帯端末と前記基地局との間の移動通信の禁止エリアであることを特徴とする請求項１から請求項３のいずれか記載の移動通信システム。
【請求項５】
前記基地局は、前記無線ＬＡＮ基地局に対して該当する携帯端末の情報を通知し、前記携帯端末に対して近隣の無線ＬＡＮ基地局の情報を通知して前記無線ＬＡＮ通信の待ち受け指示を出して前記無線ＬＡＮ通信エリアにハンドオーバさせることを特徴とする請求項１から請求項４のいずれか記載の移動通信システム。
【請求項６】
前記携帯端末は、前記無線ＬＡＮ通信中に前記無線ＬＡＮ基地局との通信に限定し、それ以外の基地局との通信を行わないことを特徴とする請求項１から請求項５のいずれか記載の移動通信システム。
【請求項７】
移動通信機能及び無線ＬＡＮ（Ｌｏｃａｌ  Ａｒｅａ  Ｎｅｔｗｏｒｋ）通信機能を備える携帯端末と、前記携帯端末との間の無線ＬＡＮ通信を制御する無線ＬＡＮ基地局とを含む移動通信システムにおいて前記携帯端末との間の移動通信を制御する基地局であって、
前記携帯端末からの位置情報を基に前記無線ＬＡＮ基地局が管理する無線ＬＡＮ通信エリアへの前記携帯端末の進入時間を概算する手段と、その概算結果を基に前記携帯端末の前記無線ＬＡＮ通信エリアへの進入時期が近いと判断すると前記携帯端末に対して前記移動通信機能を用いる通信モードと前記無線ＬＡＮ通信機能を用いる通信モードとの切換えを指示する手段とを有し、
前記無線ＬＡＮ通信エリアのうちの予め設定された特定エリアに隣接する無線ＬＡＮ通信エリアへの前記携帯端末の進入時間を概算することを特徴とする基地局。
【請求項８】
前記特定エリアは、前記携帯端末と前記基地局との間の移動通信の禁止エリアであることを特徴とする請求項７記載の基地局。
【請求項９】
前記無線ＬＡＮ基地局に対して該当する携帯端末の情報を通知し、前記携帯端末に対して近隣の無線ＬＡＮ基地局の情報を通知して前記無線ＬＡＮ通信の待ち受け指示を出して前記無線ＬＡＮ通信エリアにハンドオーバさせることを特徴とする請求項７または請求項８記載の基地局。
【請求項１０】
移動通信機能及び無線ＬＡＮ（Ｌｏｃａｌ  Ａｒｅａ  Ｎｅｔｗｏｒｋ）通信機能を備える携帯端末と、前記携帯端末との間の移動通信を制御する基地局と、前記携帯端末との間の無線ＬＡＮ通信を制御する無線ＬＡＮ基地局とを含む移動通信システムに用いる通信モード切換え方法であって、
前記携帯端末が、自端末の位置情報を取得して前記基地局に通知し、
前記基地局が、前記携帯端末からの位置情報を基に前記無線ＬＡＮ基地局が管理する無線ＬＡＮ通信エリアへの前記携帯端末の進入時間を概算する処理と、その概算結果を基に前記携帯端末の前記無線ＬＡＮ通信エリアへの進入時期が近いと判断すると前記携帯端末に対して前記移動通信機能を用いる通信モードと前記無線ＬＡＮ通信機能を用いる通信モードとの切換えを指示する処理とを実行し、
前記基地局が、前記無線ＬＡＮ通信エリアのうちの予め設定された特定エリアに隣接する無線ＬＡＮ通信エリアへの前記携帯端末の進入時間を概算することを特徴とする通信モード切換え方法。
【請求項１１】
前記携帯端末が、取得した位置情報を基に少なくとも速度情報及び移動方向を算出して前記位置情報とともに地理情報として前記基地局に通知することを特徴とする請求項１０記載の通信モード切換え方法。
【請求項１２】
前記携帯端末が、ＧＰＳ（Ｇｌｏｂａｌ  Ｐｏｓｉｔｉｏｎｉｎｇ  Ｓｙｓｔｅｍ）を用いて自端末の位置情報を取得することを特徴とする請求項１０または請求項１１記載の通信モード切換え方法。
【請求項１３】
前記特定エリアが、前記携帯端末と前記基地局との間の移動通信の禁止エリアであることを特徴とする請求項１０から請求項１２のいずれか記載の通信モード切換え方法。
【請求項１４】
前記基地局は、前記無線ＬＡＮ基地局に対して該当する携帯端末の情報を通知し、前記携帯端末に対して近隣の無線ＬＡＮ基地局の情報を通知して前記無線ＬＡＮ通信の待ち受け指示を出して前記無線ＬＡＮ通信エリアハンドオーバさせることを特徴とする請求項１０から請求項１３のいずれか記載の通信モード切換え方法。
【請求項１５】
前記携帯端末が、前記無線ＬＡＮ通信中に前記無線ＬＡＮ基地局との通信に限定し、それ以外の基地局との通信を行わないことを特徴とする請求項１０から請求項１４のいずれか記載の移動通信システム。
【請求項１６】
移動通信機能及び無線ＬＡＮ（Ｌｏｃａｌ  Ａｒｅａ  Ｎｅｔｗｏｒｋ）通信機能を備える携帯端末と、前記携帯端末との間の移動通信を制御する基地局と、前記携帯端末との間の無線ＬＡＮ通信を制御する無線ＬＡＮ基地局とを含む移動通信システムにおいて前記基地局のコンピュータに実行させるプログラムであって、
前記携帯端末からの位置情報を基に前記無線ＬＡＮ基地局が管理する無線ＬＡＮ通信エリアへの前記携帯端末の進入時間を概算する処理と、その概算結果を基に前記携帯端末の前記無線ＬＡＮ通信エリアへの進入時期が近いと判断すると前記携帯端末に対して前記移動通信機能を用いる通信モードと前記無線ＬＡＮ通信機能を用いる通信モードとの切換えを指示する処理とを含み、
前記無線ＬＡＮ通信エリアのうちの予め設定された特定エリアに隣接する無線ＬＡＮ通信エリアへの前記携帯端末の進入時間を概算させることを特徴とするプログラム。
【発明の詳細な説明】
【技術分野】
【０００１】
本発明は移動通信システム、基地局及びそれらに用いる通信モード切換え方法並びにそのプログラムに関し、特に移動通信（移動電話等）モードや無線ＬＡＮ［ｗｉｒｅｌｅｓｓ  ＬＡＮ（Ｌｏｃａｌ  Ａｒｅａ  Ｎｅｔｗｏｒｋ）］モード等の複数の通信モードを備えた携帯端末における通信モードの切換え方法に関する。
【背景技術】
【０００２】
近年、携帯電話機等の携帯端末においては、ＰＤＣ（Ｐｅｒｓｏｎａｌ  Ｄｉｇｉｔａｌ  Ｃｅｌｌｕｌａｒ）、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）、ＰＨＳ（Ｐｅｒｓｏｎａｌ  Ｈａｎｄｙ−ｐｈｏｎｅ  Ｓｙｓｔｅｍ）等の移動通信を行うための移動通信モードや無線ＬＡＮ通信を行うための無線ＬＡＮモードを備えたものがある（例えば、特許文献１参照）。
【０００３】
上記の携帯端末を用いて通信を行う際に、無線ＬＡＮ適用セル内に進入した場合には、無線ＬＡＮ通信を開始するように通信モードを切換えればよいが、現状では自動的に通信モードの切換えを行うための移行契機について確立されていない。したがって、上記の携帯端末のユーザが通信中に無線ＬＡＮエリア内に入ったとしても、即座に無線ＬＡＮによる通信に切換えることができない。
【０００４】
【特許文献１】特開２００４−１２５４９９号公報
【発明の開示】
【発明が解決しようとする課題】
【０００５】
現状、屋外の通信環境下にいた携帯端末のユーザが電車内や病院内といった特定のエリアに移動した場合において、固定基地局からその携帯端末に向けて発信規制をかけることは行われていない。つまり、固定基地局からの電波が受信できている状況であれば、携帯端末は通常の発着信が可能である。
【０００６】
そのため、携帯端末のユーザが意識的にオフラインモードに設定して通信を控えなければ、携帯端末の使用によるピースメーカー等の医療機器に悪影響を及ぼしてしまう可能性がある。
【０００７】
また、通信モードの切換えが可能な携帯端末のユーザが無線ＬＡＮエリア内に進入した場合には、無線ＬＡＮ通信を開始するように通信モードを切替えればよいが、現状では自動的に通信モードの切換えを行うための移行契機について確立されていない。
【０００８】
そこで、本発明の目的は上記の問題点を解消し、ユーザが操作を行うことなく、通信モードを自動的に行うことができ、医療機器への悪影響を回避することができる移動通信システム、基地局及びそれらに用いる通信モード切換え方法並びにそのプログラムを提供することにある。
【課題を解決するための手段】
【０００９】
本発明による移動通信システムは、移動通信機能及び無線ＬＡＮ（Ｌｏｃａｌ  Ａｒｅａ  Ｎｅｔｗｏｒｋ）通信機能を備える携帯端末と、前記携帯端末との間の移動通信を制御する基地局と、前記携帯端末との間の無線ＬＡＮ通信を制御する無線ＬＡＮ基地局とを含む移動通信システムであって、
前記携帯端末は、自端末の位置情報を取得して前記基地局に通知する手段を有し、
前記基地局は、前記携帯端末からの位置情報を基に前記無線ＬＡＮ基地局が管理する無線ＬＡＮ通信エリアへの前記携帯端末の進入時間を概算する手段と、その概算結果を基に前記携帯端末の前記無線ＬＡＮ通信エリアへの進入時期が近いと判断すると前記携帯端末に対して前記移動通信機能を用いる通信モードと前記無線ＬＡＮ通信機能を用いる通信モードとの切換えを指示する手段とを備え、
前記基地局は、前記無線ＬＡＮ通信エリアのうちの予め設定された特定エリアに隣接する無線ＬＡＮ通信エリアへの前記携帯端末の進入時間を概算している。
【００１０】
本発明による基地局は、移動通信機能及び無線ＬＡＮ（Ｌｏｃａｌ  Ａｒｅａ  Ｎｅｔｗｏｒｋ）通信機能を備える携帯端末と、前記携帯端末との間の無線ＬＡＮ通信を制御する無線ＬＡＮ基地局とを含む移動通信システムにおいて前記携帯端末との間の移動通信を制御する基地局であって、
前記携帯端末からの位置情報を基に前記無線ＬＡＮ基地局が管理する無線ＬＡＮ通信エリアへの前記携帯端末の進入時間を概算する手段と、その概算結果を基に前記携帯端末の前記無線ＬＡＮ通信エリアへの進入時期が近いと判断すると前記携帯端末に対して前記移動通信機能を用いる通信モードと前記無線ＬＡＮ通信機能を用いる通信モードとの切換えを指示する手段とを備え、
前記無線ＬＡＮ通信エリアのうちの予め設定された特定エリアに隣接する無線ＬＡＮ通信エリアへの前記携帯端末の進入時間を概算している。
【００１２】
本発明による通信モード切換え方法は、移動通信機能及び無線ＬＡＮ（Ｌｏｃａｌ  Ａｒｅａ  Ｎｅｔｗｏｒｋ）通信機能を備える携帯端末と、前記携帯端末との間の移動通信を制御する基地局と、前記携帯端末との間の無線ＬＡＮ通信を制御する無線ＬＡＮ基地局とを含む移動通信システムに用いる通信モード切換え方法であって、
前記携帯端末が、自端末の位置情報を取得して前記基地局に通知し、
前記基地局が、前記携帯端末からの位置情報を基に前記無線ＬＡＮ基地局が管理する無線ＬＡＮ通信エリアへの前記携帯端末の進入時間を概算する処理と、その概算結果を基に前記携帯端末の前記無線ＬＡＮ通信エリアへの進入時期が近いと判断すると前記携帯端末に対して前記移動通信機能を用いる通信モードと前記無線ＬＡＮ通信機能を用いる通信モードとの切換えを指示する処理とを実行し、
前記基地局が、前記無線ＬＡＮ通信エリアのうちの予め設定された特定エリアに隣接する無線ＬＡＮ通信エリアへの前記携帯端末の進入時間を概算している。
【００１３】
本発明によるプログラムは、移動通信機能及び無線ＬＡＮ（Ｌｏｃａｌ  Ａｒｅａ  Ｎｅｔｗｏｒｋ）通信機能を備える携帯端末と、前記携帯端末との間の移動通信を制御する基地局と、前記携帯端末との間の無線ＬＡＮ通信を制御する無線ＬＡＮ基地局とを含む移動通信システムにおいて前記基地局のコンピュータに実行させるプログラムであって、
前記携帯端末からの位置情報を基に前記無線ＬＡＮ基地局が管理する無線ＬＡＮ通信エリアへの前記携帯端末の進入時間を概算する処理と、その概算結果を基に前記携帯端末の前記無線ＬＡＮ通信エリアへの進入時期が近いと判断すると前記携帯端末に対して前記移動通信機能を用いる通信モードと前記無線ＬＡＮ通信機能を用いる通信モードとの切換えを指示する処理とを含み、
前記無線ＬＡＮ通信エリアのうちの予め設定された特定エリアに隣接する無線ＬＡＮ通信エリアへの前記携帯端末の進入時間を概算させることを特徴とする。
【００１５】
すなわち、本発明の移動通信システムは、電車内や病院内といった特定エリア内に移動しつつある携帯端末を、固定基地局が携帯端末から通知されるＧＰＳ（Ｇｌｏｂａｌ  Ｐｏｓｉｔｉｏｎｉｎｇ  Ｓｙｓｔｅｍ）等による位置情報や速度情報、移動方向といった地理情報を利用することで、特定エリア内に移動しつつある状況かどうかを判断する。
【００１６】
固定基地局は無線ＬＡＮ［ｗｉｒｅｌｅｓｓ  ＬＡＮ（Ｌｏｃａｌ  Ａｒｅａ  Ｎｅｔｗｏｒｋ）］基地局に対し、該当する携帯端末の情報を通知するとともに、携帯端末に対して近隣の無線ＬＡＮの基地局の情報を通知し、無線ＬＡＮ通信の待ち受け指示を出して、無線ＬＡＮセルにハンドオーバ（Ｈａｎｄｏｖｅｒ）させるようにする。
【００１７】
携帯端末は、無線ＬＡＮエリア内への移動完了を契機に、ユーザが手動で通信モード・サービスの設定を変更することなく、自動的に発信規制された無通信状態に切換えられ、無線ＬＡＮによる通信サービスへの切換えが行われる。無線ＬＡＮ通信中、携帯端末は無線ＬＡＮの基地局との通信に限定し、それ以外の基地局との通信を行わないようにする。これによって、携帯端末は身近な無線ＬＡＮの基地局と通信するだけで良いため、無線ＬＡＮのエリア内における不要なメッセージ送信を抑えることが可能となる。無線ＬＡＮのエリア外に出る場合、固定基地局は無線ＬＡＮセルからのハンドオーバによって通信サービスの継続が行われるようにする。
【００１８】
本発明の移動通信システムでは、携帯端末の移動速度や移動方向といった地理情報を利用することで、電車やバス、病院や映画館等、無線ＬＡＮ環境の整ったエリアに携帯端末が進入しつつあることを固定基地局が事前に察知することが可能となる。これによって、本発明の移動通信システムでは、固定基地局が携帯端末に対し、無線ＬＡＮ通信を待ち受ける指示を出し、無線ＬＡＮエリア内に進入したことを契機に、ユーザが携帯端末を操作することなく、自動的に固定基地局との通信から無線ＬＡＮ基地局との無線ＬＡＮ通信に通信モードが切換えられ、周囲の状況（ピースメーカー等の医療機器）に配慮した通信を継続して行うことが可能となる。
【００１９】
現状では、携帯端末が自動的に通信モードを変更することはないため、ユーザの操作が必要であるが、本発明の移動通信システムでは、地理情報を利用して特定エリアに進入することを察知して自動的に無線ＬＡＮ環境に着信させることで、ユーザの操作が不要となり、また、屋外の基地局との通信から屋内無線ＬＡＮ通信に自動的に切換えることが可能となるので、ピースメーカー等の医療機器への悪影響を回避することが可能となる。
【発明の効果】
【００２０】
本発明は、上記のような構成及び動作とすることで、ユーザが操作を行うことなく、通信モードを自動的に行うことができ、医療機器への悪影響を回避することができるという効果が得られる。
【発明を実施するための最良の形態】
【００２１】
次に、本発明の実施例について図面を参照して説明する。図１は本発明の一実施例による移動通信システムの構成を示すブロック図である。図１において、本発明の一実施例による移動通信システムは携帯端末１と、音声・パケット通信エリアＡを管理する固定基地局２と、無線ＬＡＮ［ｗｉｒｅｌｅｓｓ  ＬＡＮ（Ｌｏｃａｌ  Ａｒｅａ  Ｎｅｔｗｏｒｋ）］通信エリアＢを管理する無線ＬＡＮ基地局（アクセスポイント）３とから構成されている。
【００２２】
図２は図１の携帯端末１の構成を示すブロック図である。図２において、携帯端末１はＣＰＵ（中央処理装置）１１と、ＣＰＵ１１が実行する制御プログラム１２ａを格納するメインメモリ１２と、ＣＰＵ１１が制御プログラム１２ａを実行する際に使用する情報等を保持する記憶装置１３と、自端末の位置情報を取得するためのＧＰＳ（Ｇｌｏｂａｌ  Ｐｏｓｉｔｉｏｎｉｎｇ  Ｓｙｓｔｅｍ）機能１４と、無線ＬＡＮ基地局３との間の無線ＬＡＮ通信を制御する無線ＬＡＮ通信制御部１５と、固定基地局２との間の移動通信を制御する移動通信制御部１６とを含んで構成されている。
【００２３】
携帯端末１において、ＣＰＵ１１、メインメモリ１２、記憶装置１３、ＧＰＳ機能１４、無線ＬＡＮ通信制御部１５、移動通信制御部１６はそれぞれ内部バス１１０に接続されている。記憶装置１３は固定基地局２から送られてくる無線ＬＡＮ基地局３の情報を保持する無線ＬＡＮ基地局情報保持領域１３１と、ＧＰＳ機能１４で取得した位置情報を基に算出した地理情報（位置情報、速度情報、移動方向等）を保持する地理情報保持領域１３２とを備えている。
【００２４】
図３は図１の固定基地局２の構成を示すブロック図である。図３において、固定基地局２はＣＰＵ２１と、ＣＰＵ２１が実行する制御プログラム２２ａを格納するメインメモリ２２と、ＣＰＵ２１が制御プログラム２２ａを実行する際に使用する情報等を保持する記憶装置２３と、ＲＮＣ（Ｒａｄｉｏ  Ｎｅｔｗｏｒｋ  Ｃｏｎｔｒｏｌｌｅｒ：無線ネットワーク制御装置）等の上位装置との通信を制御する通信制御部２４と、携帯端末１との間の移動通信を制御する無線通信制御部２５とを含んで構成されている。
【００２５】
固定基地局２において、ＣＰＵ２１、メインメモリ２２、記憶装置２３、通信制御部２４、無線通信制御部２５はそれぞれ内部バス２１０に接続されている。記憶装置２３は予め設定された電車やバス、病院や映画館等、無線ＬＡＮ環境の整った特定エリアの情報を保持する特定エリア情報保持領域２３１と、その特定エリア近隣の無線ＬＡＮ基地局３の情報を保持する無線ＬＡＮ基地局情報保持領域２３２と、音声・パケット通信エリアＡ内に在圏する携帯端末１の情報を保持する携帯端末情報保持領域２３３とを備えている。
【００２６】
尚、無線ＬＡＮ基地局３は無線ＬＡＮ通信を制御するアクセスポイントを指しており、アクセスポイントについては公知であるので、その構成及び動作についての説明は省略する。
【００２７】
図４は本発明の一実施例による移動通信システムの動作を示すシーケンスチャートである。これら図１〜図４を参照して本発明の一実施例による移動通信システムの動作について説明する。以下の説明では、屋外で無線リソースを保持している携帯端末１が、屋内の無線通信ＬＡＮエリアＢに進入する場合に、無線ＬＡＮ通信を自動的に開始するための動作について述べる。尚、図４において、携帯端末１の処理動作はＣＰＵ１１が制御プログラム１２ａを実行することで実現され、固定基地局２の処理動作はＣＰＵ２１が制御プログラム２２ａを実行することで実現される。
【００２８】
携帯端末１は通常の待ち受け状態の場合（図４のａ１参照）、ＧＰＳ機能１４にて位置情報を取得し、その位置情報を基にＣＰＵ１１が地理情報（位置情報、速度情報、移動方向等）を算出して地理情報保持領域１３２に保持する（位置情報の取得完了）。
【００２９】
携帯端末１のユーザが音声・パケット通信エリアＡの圏内を移動している間、携帯端末１はＧＰＳ機能１４による位置情報の取得毎に地理情報保持領域１３２に保持された地理情報（位置情報、速度情報、移動方向等）をＭｅａｓｕｒｅｍｅｎｔ  Ｒｅｐｏｒｔメッセージにて固定基地局２へ送信する（図４のａ２，ａ３，ａ５，ａ６参照）。
【００３０】
固定基地局２は携帯端末１から送信されてきた地理情報と無線ＬＡＮ基地局情報保持領域２３２の保持内容とを基に、携帯端末１が近隣の無線ＬＡＮ通信エリアＢへ進入するまでの時間を概算する（図４のａ４参照）。尚、固定基地局２による携帯端末１が近隣の無線ＬＡＮ通信エリアＢへ進入するまでの時間の計算は、特に特定エリア情報保持領域２３１に保持された特定エリア（例えば、携帯端末１と固定基地局２との間の移動通信の禁止エリア）への接近が検出された場合のみとすることもできる。
【００３１】
固定基地局２による無線ＬＡＮ通信エリアＢへの進入の概算時間が、携帯端末のＭｅａｓｕｒｅｍｅｎｔ  Ｒｅｐｏｒｔ毎に減少している場合、固定基地局２は無線ＬＡＮ通信エリアＢへの進入時期が近いと判断する（図４のａ７参照）。
【００３２】
固定基地局２は、近隣の無線ＬＡＮ基地局３に、無線ＬＡＮ通信エリアＢへ進入している携帯端末１の情報［ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）／ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ），Ｃｉｐｈｅｒ  ｋｅｙ，Ｉｎｔｅｇｒｉｔｙ  ｋｅｙ等］を送信する（図４のａ８参照）。
【００３３】
無線ＬＡＮ基地局３は、固定基地局２から送られてきた携帯端末１の情報［ＩＭＳＩ／ＴＭＳＩ，Ｃｉｐｈｅｒ  ｋｅｙ，Ｉｎｔｅｇｒｉｔｙ  ｋｅｙ等］を基に携帯端末１の認証等を完了し（図４のａ９参照）、自局の無線ＬＡＮ基地局情報を固定基地局２に通知する（図４のａ１０参照）。
【００３４】
固定基地局２は携帯端末１に対し、無線ＬＡＮ基地局３の情報（ＲＮＣ−ＩＤ等）を送信し、無線ＬＡＮ通信エリアＢの検出のための待ち受けを指示する（図４のａ１１参照）。これによって、固定基地局２は携帯端末１の通信モードを自局との通信から無線ＬＡＮ基地局３との無線ＬＡＮ通信に切換える。
【００３５】
携帯端末１は、無線ＬＡＮ通信エリアＢの検出のための待ち受けを開始する（図４のａ１２参照）。携帯端末１は移動によって無線ＬＡＮ通信エリアＢ内に進入すると同時に、無線ＬＡＮ通信モードに移行し、無線ＬＡＮ基地局３を介して無線ＬＡＮ通信を開始する（図４のａ１３参照）。
【００３６】
現状では、携帯端末１が自動的に通信モードを変更することはないため、携帯端末１のユーザの操作が必要であるが、本実施例では、携帯端末１からの地理情報（位置情報、速度情報、移動方向等）を利用して、携帯端末１のユーザが特定エリアに進入することを事前に察知し、自動的に無線ＬＡＮ環境に着信させることで、携帯端末１のユーザの操作を不要とし、また屋外の固定基地局２との通信から屋内の無線ＬＡＮ基地局３との通信に自動的に切換えることができるので、ピースメーカー等の医療機器への悪影響を回避することができる。
【００３７】
尚、本実施例では、ＧＰＳ機能１４を用いて携帯端末１の位置情報を取得しているが、携帯端末１の無線ＬＡＮ通信エリアＢへの接近を検出することができれば、他の方法で位置情報を検出してもよく、これに限定されない。
【図面の簡単な説明】
【００３８】
【図１】本発明の一実施例による移動通信システムの構成を示すブロック図である。
【図２】図１の携帯端末の構成を示すブロック図である。
【図３】図１の固定基地局の構成を示すブロック図である。
【図４】本発明の一実施例による移動通信システムの動作を示すシーケンスチャートである。
【符号の説明】
【００３９】
１  携帯端末
２  固定基地局
３  無線ＬＡＮ基地局
１１
１１，２１  ＣＰＵ
１２，２２  メインメモリ
１２ａ，２２ａ  制御プログラム
１３，２３  記憶装置
１４  ＧＰＳ機能
１５  無線ＬＡＮ通信制御部
１６  移動通信制御部
２４  通信制御部
２５  無線通信制御部
２３１  特定エリア情報保持領域
２３２  無線ＬＡＮ基地局情報保持領域
２３３  携帯端末情報保持領域
１１０，２１０  内部バス
１３１  無線ＬＡＮ基地局情報保持領域
１３２  地理情報保持領域
Ａ  音声・パケット通信エリア
Ｂ  無線ＬＡＮ通信エリア
【図１】
0004736855.tif 000002
【図２】
0004736855.tif 000003
【図３】
0004736855.tif 000004
【図４】
0004736855.tif 000005